(57)【要約】      （修正有）【課題】画像に付加される広告等情報及び広告等情報に関連するコード情報を付加するシステムにおいて、広告主等情報元にとっては飽きられないし、広告等情報に接する人にとっても有意義な広告等情報に接することができる広告等情報付加システムを提供する。【解決手段】撮影した画像の提供者乃至は被提供者の個人情報と、前記画像の種類を分類した画像分類情報と、前記広告等の情報を提供する情報元の要望情報のいずれかの情報に基づいて複数の広告等の情報からなる情報群の内から適した広告等の情報を選択し、前記選択された情報と前記情報に関連する二次元コード等のコード情報を前記画像に付加し、情報元がアクセスした前記提供者乃至は前記被提供者に対して、前記アクセスまたはアクセスして設定した条件に応じてそれぞれ所定の情報乃至はサービスを提供する。【選択図】図１
2008185842.tif 000002
【特許請求の範囲】
【請求項１】
撮影した画像の提供者乃至は被提供者の個人情報と、前記画像の種類を分類した画像分類情報と、前記広告等の情報を提供する情報元の要望情報のいずれかの情報に基づいて複数の広告等の情報からなる情報群の内から適した広告等の情報を選択する手段と、前記選択された情報と前記情報に関連する二次元コード、ＱＲコード（登録商標）等のコード情報を前記画像に付加する付加手段を備えた広告等情報元側と、前記コード情報にアクセスする提供者乃至は被提供者側とからなり、前記情報元は前記アクセスした前記提供者乃至は前記被提供者に対して、前記アクセスまたはアクセスして設定した条件に応じてそれぞれ所定の情報乃至はサービスを提供する広告等情報付加システム。
【請求項２】
撮影した画像の提供者乃至は被提供者の個人情報と、前記画像の種類を分類した画像分類情報と、前記広告等の情報を提供する情報元の要望情報のいずれかの情報に基づいて複数の広告等の情報からなる情報群の内から適した広告等の情報を選択する手段と、前記選択された選択情報と前記選択情報に関連する二次元コード、ＱＲコード（登録商標）等のコード情報を前記画像に付加する付加手段とを備え、前記コード情報にアクセス提供者乃至は被提供者に対して、前記アクセスまたはアクセスして設定した条件に応じてそれぞれ所定の情報乃至はサービスが提供される広告等情報付加装置。
【請求項３】
撮影した画像の提供者乃至は被提供者の個人情報と、前記画像の種類を分類した画像分類情報と、前記広告等の情報を提供する情報元の要望情報のいずれかの情報に基づいて複数の広告等の情報からなる情報群の内から適した広告等の情報を選択するステップと、前記選択された選択情報と前記選択情報に関連する二次元コード、ＱＲコード（登録商標）等のコード情報を前記画像に付加するステップとを備え、前記コード情報はアクセスする提供者乃至は被提供者に対して、前記アクセスまたはアクセスして設定した条件に応じてそれぞれ所定の情報乃至はサービスが提供される広告等情報付加方法。
【請求項４】
前記アクセスまたはアクセスして設定した条件はアクセス回数またはアクセス期間またはアクセスした時間・時期である請求項１に記載の広告等情報付加システム。
【請求項５】
前記アクセスまたはアクセスして設定した条件は、前記コード情報に対するアクセス回数またはアクセス期間またはアクセスする時間・時期である請求項２に記載の広告等情報付加装置。
【請求項６】
前記アクセスする条件は、前記コード情報に対する所定のアクセス回数またはアクセス期間またはアクセスする時間・時期である請求項３に記載の広告等情報付加方法。
【発明の詳細な説明】
【技術分野】
【０００１】
本発明は広告等情報付加システム、広告等情報付加装置及び広告等情報付加方法に関する。
【背景技術】
【０００２】
従来、写真プリントで広告を行う技術が開発されている。例えば特許文献１の広告付き写真プリントシステムは顧客の関心度の高い広告を広告群から選んで付加するものである。文献２は広告コンテンツを二次元コードで画像に埋め込むものである。
【０００３】
【特許文献１】特開２００２−５７９６８号公報
【特許文献２】特開２００６−９１５５６号公報
【発明の開示】
【発明が解決しようとする課題】
【０００４】
画像の中に広告を挿入することにより広告主がプリント代を補助し、プリント代が安くなったり、無料にされるメリットがある。しかしながら、画像の中に広告を挿入してもその広告主が挿入する広告の大きさ、また挿入しなくても画像の傍に広告を配置しても広告として掲載する情報量の制限があるので多くの情報を伝えることができない。そこで二次元コードを画像の傍または内部に配置して、例えば携帯電話のカメラ部でその二次元コードを写しこみインターネットを介してそのホームページと通信して広告主の情報が伝送されることもできる。しかしながら画像に付加される広告が、画像の内容、写真を提供する者、提供される者の属性、広告主の要望等によって広告が決定しても、同じ広告主の広告であってもアクセスする度に広告内容がすべて同じ広告の場合には広告としての価値が下がる。それは初めの内は情報として新鮮であるが、同じものを何度も見させては価値がなくなり、収穫逓減の原則に従うことになる。それはアクセスする回数ばかりでなくてアクセスする期間においても同じである。また、アクセスした時間が朝の時は朝の情報を、夜の時には夜の情報が欲しくなる。その意味でも広告はそのときどきに必要な広告を提供してほしいものである。また、季節についても同様で、その時期、季節に合った広告を提供してほしいものである。
【０００５】
本発明は、このような従来の構成が有している問題を解決しようとするものであり、画像に付加される広告等情報及び広告等情報に関連するコード情報にアクセスまたはアクセスして設定した条件に応じて所定の情報乃至はサービスを提供するものである。
【０００６】
本発明の請求項１は撮影した画像の提供者乃至は被提供者の個人情報と、前記画像の種類を分類した画像分類情報と、前記広告等の情報を提供する情報元の要望情報のいずれかの情報に基づいて複数の広告等の情報からなる情報群の内から適した広告等の情報を選択する手段と、前記選択された情報と前記情報に関連する二次元コード、ＱＲコード（登録商標）等のコード情報を前記画像に付加する付加手段を備えた広告等情報元側と、前記コード情報にアクセスする提供者乃至は被提供者側とからなり、前記情報元は前記アクセスした前記提供者乃至は前記被提供者に対して、前記アクセスまたはアクセスして設定した条件に応じてそれぞれ所定の情報乃至はサービスを提供する広告等情報付加システムを提供することにある。
【０００７】
本発明の請求項２は撮影した画像の提供者乃至は被提供者の個人情報と、前記画像の種類を分類した画像分類情報と、前記広告等の情報を提供する情報元の要望情報のいずれかの情報に基づいて複数の広告等の情報からなる情報群の内から適した広告等の情報を選択する手段と、前記選択された選択情報と前記選択情報に関連する二次元コード、ＱＲコード（登録商標）等のコード情報を前記画像に付加する付加手段とを備え、前記コード情報にアクセスする提供者乃至は被提供者に対して、前記アクセスまたはアクセスして設定した条件に応じてそれぞれ所定の情報乃至はサービスが提供される広告等情報付加装置を提供することにある。
【０００８】
本発明の請求項３は撮影した画像の提供者乃至は被提供者の個人情報と、前記画像の種類を分類した画像分類情報と、前記広告等の情報を提供する情報元の要望情報のいずれかの情報に基づいて複数の広告等の情報からなる情報群の内から適した広告等の情報を選択するステップと、前記選択された選択情報と前記選択情報に関連する二次元コード、ＱＲコード（登録商標）等のコード情報を前記画像に付加するステップとを備え、前記コード情報はアクセスする提供者乃至は被提供者に対して、前記アクセスまたはアクセスして設定した条件に応じてそれぞれ所定の情報乃至はサービスが提供される広告等情報付加方法を提供することにある。
【０００９】
本発明の請求項４は請求項１に従属し、前記アクセスまたはアクセスして設定した条件はアクセス回数またはアクセス期間またはアクセスした時間・時期である広告等情報付加システムを提供することにある。
【００１０】
本発明の請求項５は請求項２に従属し、前記アクセスまたはアクセスして設定した条件は、前記コード情報に対するアクセス回数またはアクセス期間またはアクセスする時間・時期である広告等情報付加装置を提供することにある。
【００１１】
本発明の請求項６は請求項３に従属し、前記アクセスする条件は、前記コード情報に対する所定のアクセス回数またはアクセス期間またはアクセスする時間・時期である広告等情報付加方法を提供することにある。
【発明の効果】
【００１２】
上述したように本発明の広告等情報付加システム、広告等情報付加装置及び広告等情報付加方法では、画像には広告等情報の他に二次元コード、ＱＲコード（登録商標）等のコード情報を前記画像に付加し、画像の提供者乃至は被提供者のアクセスまたはアクセスして設定した条件に応じてそれぞれ所定の情報乃至はサービスを提供するのでアクセスした回数または期間、時期、時間等に応じた情報乃至はサービスを提供するので広告主等情報元にとっては飽きられないし、広告等情報に接する人にとっても有意義な広告等情報に接することができる。
【発明を実施するための最良の形態】
【００１３】
図１は、本発明の広告等情報付加装置の概略構成を示す。１は広告等情報コンテンツマッチングシステム装置、２は提供者が画像を入力し転送させるパーソナルコンピューターや携帯電話機等であるクライアント端末を示し、不図示のインターネット等のネットワークを介して広告等情報コンテンツマッチングシステム装置１とクライアント端末２は接続されている。広告等情報コンテンツマッチングシステム装置１は、３で示す画像サーバ、４で示す顧客管理サーバ、５で示す広告等情報コンテンツサーバ、６で示すマッチングシステムで構成されている。７はマッチングシステム６で選択される広告等情報を選択する広告等情報選択部で、８は前記選択された広告等情報に相応する二次元コードを選択する二次元コード選択部を示し、画像サーバ３に保管された画像と広告等情報コンテンツサーバ５に保管され、９は広告等情報選択部７で選択された広告等情報及び二次元コード選択部８から選択された広告等情報と二次元コードを画像に合成する合成システムを示し、１０は合成システム９で合成された広告等情報及び二次元コード付き画像をプリントするプリントシステムを示す。
【００１４】
画像サーバ３には画像を保管した１１で示す画像データベースと、画像の内容を分類した画像分類情報を含む画像分類情報データベースを示す１２を備える。また、顧客管理サーバ４には１３で示す、提供者の個人属性を備えた提供者属性データベースと、１４で示す提供者の画像を観察する被提供者の個人属性を備えた被提供者データベースと、更に１５で示す被提供者が団体である場合に被提供者グループの被提供者団体属性データベースを備える。また広告等情報コンテンツサーバ５には、１６で示す広告等情報の情報元の要望事項を記憶した広告等情報ターゲットデータベースと、１７で示す１つ又は複数の広告等情報データを格納する広告等情報コンテンツデータベースとを備え、広告等情報コンテンツデータベース１７は広告等情報ターゲットデータベース１６のターゲットによって分類されているが、広告等情報コンテンツは１つ又は複数の広告等情報ターゲットデータに対応している。広告等情報マッチングサービスを管理するマッチングシステム６を中心として、提供者乃至は被提供者がネットワークを介して画像を格納する画像サーバ３内の画像データベース１１及び、提供者乃至は被提供者の個人情報を登録する顧客管理サーバ４には提供者属性データベース１３と、被提供者属性データベース１４と、被提供者がグループである場合の被提供者グループ属性データベース１５に接続されており、広告等情報コンテンツサーバ５からの要求に応じてマッチングすることができ、マッチングされたデータはネットワークによって合成システム９で画像と広告等情報コンテンツが合成されたデータが、プリントシステム１０へと伝達することができる。なお図１では、合成システム９の後にプリントシステム１０が接続されているが、マッチング後に合成するのではなくプリント後に広告等情報コンテンツを付加してもよい。例えば、インクジェットプリンターで画像をプリント後に、広告等情報コンテンツをプリントされた画像に再プリントしてもよい。
【００１５】
広告等情報コンテンツマッチングシステム１に接続するクライアント端末２は、パーソナルコンピューターやカメラ付き携帯電話等のインターネットに接続できる端末を指し、今後送信機能付きデジタルカメラや、デジタルＴＶ等のネットワーク接続が可能な端末を全て対象としている。
【００１６】
画像サーバ３とは、画像データベース１１及び画像分類情報データベース１２で構成され、提供者乃至は被提供者並びにクライアント端末への入力を代行するユーザーのクライアント端末２から不図示のインターネット等のネットワークを介して受け取った画像データに対して画像データ処理を行い画像データベース９に格納される。または、画像データベース内に格納後に画像処理をしてもよい。
【００１７】
画像分類情報データベース１２とは、提供者乃至は被提供者が撮影前または撮影後に写真そのものを分類し設定する情報であり、写真の内容を特定するための１つ以上のキーワードを持つ言語及び数字で構成されるタグ情報を格納している。例えば画像データに対して「海」「サーフィン」「晴れ」「きもちいい」等の１つ以上のタグ情報として表され格納することができる。なお、前記画像データは、ＷＷＷ上に設けられたサイト上での観察も考えられ、提供者乃至は被提供者だけではなく画像データを観察した１人以上の第３者が追加設定することができ、画像内容をいろいろな内容で捉えることができる。
【００１８】
顧客管理サーバ４は、提供者属性データベース１３、被提供者属性データベース１４、被提供者グループデータベース１５から構成されている。提供者乃至は被提供者並びにクライアント端末への入力を代行するユーザーのクライアント端末２から画像データをインターネット等のネットワークを介して受け取る工程において前記提供者乃至は被提供者の氏名・住所・年齢・性別・国籍・電話番号・メールアドレス・端末識別情報・最終学歴・家族構成・配偶者情報・住居形態・趣味嗜好・勤務先情報やその他アンケート項目を入力し保管する処理を提供者属性データベース１３並びに被提供者属性データベース１４が行う。また、被提供者が一人以上の場合は、団体などの属性情報を入力させ保管を観察グループデータベース１５が行う。
【００１９】
図２は二次元コード、例えばＱＲコードを読み取る図を示す。２１で示す二次元コードを２２で示す通信機能付きカメラ、またはカメラ付き携帯電話で読み取って２３で示すインターネットにつなぎ二次元コード２１を表す２４で示す企業等団体の広告等情報コンテンツサーバに接続し、２５で示す広告等情報コンテンツから所定の広告等情報が通信機能付きカメラまたはカメラ付き携帯電話のディスプレイに表示される。
【００２０】
図３は二次元コードに画像の提供者または被提供者がアクセスする回数によって広告等情報コンテンツを切り換えるフローチャートを示す。
図２に示す二次元コード２１に対して画像の提供者または被提供者がアクセスする回数がｎ回までは情報元の広告等情報コンテンツサーバ２４が広告等情報コンテンツＡをアクセスする度に通信機能付きカメラまたはカメラ付き携帯電話２２に出力して、その表示画面に表示し、ｎ回を越すと情報元の広告等情報コンテンツサーバ２４が広告等情報コンテンツＡから切り換えて広告等情報コンテンツＢを、通信機能付きカメラまたはカメラ付き携帯電話２２に出力して、その画面に表示する。
【００２１】
図３ではアクセス回数に関してフローチャートで示したが、アクセス回数の他に、例えば最初にアクセスした日から所定日数経過するまでは広告等情報コンテンツＣを変更しないで、所定日数を経過したら広告情報コンテンツＤに変更するフローチャートを図４で示す。
【００２２】
また、アクセス回数とか最初のアクセスした日からの経過した日数でなくて、アクセスした日または週に関連する広告等情報コンテンツを提供する場合もある。
【００２３】
これまで画像の提供者または被提供者が二次元コードにアクセスした場合に、更なる広告等情報コンテンツを提供者または被提供者に表示することを述べてきた。画像の提供者乃至は被提供者が二次元コードにアクセスする度にその情報元の広告等情報コンテンツサーバ２４にアクセスされたことが記録される。情報元がそのアクセスしてもらって広告等情報コンテンツを見てもらったということでクーポン券に相当するポイントを画像の提供者または被提供者に付加してポイント数が所定の点数に達したら景品をつけるなどしてもよい。
【００２４】
図３に合わせていえば、アクセスの回数が所定回数を越えるとポイントを２倍にするなどしてもよいし、図４に合わせていえば、アクセスして所定期間以内と所定期間を越えるとポイント数が２倍になるようにしてもよい。また、特定の日にアクセスされると、２倍のポイントを付与するようにしてもよい。
【００２５】
また、前記通信機能付きカメラまたはカメラ付き携帯電話２２のアクセス数及びいつからいつまでアクセスしたかの期間であるアクセス期間を判定する手段としては、前記通信機能付きカメラまたはカメラ付き携帯電話２２を使用することで端末識別情報や加入者識別情報を２４の企業等団体の広告等情報コンテンツサーバに送信させ、通信機能付きカメラまたはカメラ付き携帯電話２２を識別し（例えば、特願２００５−２０１３４）、前記アクセス数及びアクセス期間を測定する。また、任意のＩＤやパスワードを発行し、広告等情報コンテンツサーバにログインさせ、ログインの回数や期間を測定しても良い。
【図面の簡単な説明】
【００２６】
【図１】本発明に係る広告等情報付加装置を示す
【図２】本発明に係る二次元コードを読み取る図を示す。
【図３】本発明に係る二次元コードにアクセスした回数で広告等情報コンテンツが切り替わる図を示す。
【図４】本発明に係る二次元コードに最初にアクセスした日から経過した日数により広告等情報コンテンツが切り替わる図を示す。
【符号の説明】
【００２７】
１・・・広告等情報コンテンツマッチングシステム装置
２・・・クライアント端末
３・・・画像サーバ
４・・・顧客管理サーバ
５・・・広告等情報コンテンツサーバ
６・・・マッチングシステム
７・・・広告等情報選択部
８・・・二次元コード選択部
９・・・合成システム
１０・・プリントシステム
１１・・画像データベース
１２・・画像分類情報データベース
１３・・提供者属性データベース
１４・・被提供者属性データベース
１５・・被提供者グループデータベース
１６・・広告等情報ターゲットデータベース
１７・・広告等情報コンテンツデータベース
２１・・二次元コード
２２・・通信機能付ＣＣＤカメラまたはカメラ付き携帯電話
２３・・インターネット
２４・・情報元の広告等情報コンテンツサーバ
２５・・広告等情報コンテンツ
【図１】
2008185842.tif 000003
【図２】
2008185842.tif 000004
【図３】
2008185842.tif 000005
【図４】
2008185842.tif 000006